【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
通信の方法であって、
近隣認識ネットワーク（ＮＡＮ）のカバレッジエリア内の電子デバイスから、第１のワイヤレスプロトコルにしたがってウェイクアップメッセージを送信することと、前記ウェイクアップメッセージは、第２のワイヤレスプロトコルに関連付けられた発見情報を示す、
前記ウェイクアップメッセージを送信した後で、前記第２のワイヤレスプロトコルにしたがって前記ＮＡＮを介して情報を通信することと、
前記電子デバイスにおいて、別の電子デバイスから、別のＮＡＮに関連付けられた第２の発見情報を示すメッセージを受信することと、前記別のＮＡＮは、前記第２のワイヤレスプロトコルにしたがって動作する、
を備える、方法。
【請求項２】
前記発見情報中の前記第２のワイヤレスプロトコルに関連付けられた発見ビーコンの送信時間を示すことをさらに備える、請求項１に記載の方法。
【請求項３】
前記ＮＡＮを介して情報を前記通信することにおいて前記発見ビーコンを送信することをさらに備える、請求項２に記載の方法。
【請求項４】
前記ウェイクアップメッセージを前記送信することは、前記発見ビーコンの送信より前に生じる、請求項２に記載の方法。
【請求項５】
前記発見情報は、前記第２のワイヤレスプロトコルに関連付けられた発見ウィンドウを示す、請求項１に記載の方法。
【請求項６】
前記発見ウィンドウは、１６ミリ秒（ｍｓ）の持続時間を有する、請求項５に記載の方法。
【請求項７】
前記ウェイクアップメッセージを前記送信することは、前記発見ウィンドウの開始より前に生じる、請求項５に記載の方法。
【請求項８】
前記ＮＡＮを介して情報を前記通信することは、前記発見ウィンドウ中の通信を含む、請求項５に記載の方法。
【請求項９】
前記ＮＡＮを介して情報を前記通信することは、同期ビーコンを送信することを含む、請求項１に記載の方法。
【請求項１０】
前記第１のワイヤレスプロトコルは、米国電気電子学会（ＩＥＥＥ）８０２．１１ａｈワイヤレスプロトコルを備える、請求項１に記載の方法。
【請求項１１】
前記メッセージは、前記第１のワイヤレスプロトコルにしたがって前記別の電子デバイスから受信される、請求項１に記載の方法。
【請求項１２】
前記メッセージは、前記別のＮＡＮの発見ウィンドウの時間インジケーションを含む、請求項１に記載の方法。
【請求項１３】
前記第１のワイヤレスプロトコルは、サブ１ギガヘルツ（ＧＨｚ）の周波数帯域に関連付けられ、前記第２のワイヤレスプロトコルは、２．４ＧＨｚの周波数帯域に関連付けられる、請求項１に記載の方法。
【請求項１４】
前記第１のワイヤレスプロトコルは、サブ１ギガヘルツ（ＧＨｚ）の周波数帯域に関連付けられ、前記第２のワイヤレスプロトコルは、５ＧＨｚの周波数帯域に関連付けられる、請求項１に記載の方法。
【請求項１５】
前記第１のワイヤレスプロトコルは、２．４ギガヘルツ（ＧＨｚ）の周波数帯域に関連付けられ、前記第２のワイヤレスプロトコルは、５ＧＨｚの周波数帯域に関連付けられる、請求項１に記載の方法。
【請求項１６】
通信のための装置であって、
プロセッサと、
前記プロセッサに、
近隣認識ネットワーク（ＮＡＮ）を介して、第１のワイヤレスプロトコルにしたがってウェイクアップメッセージの送信を開始することと、前記ウェイクアップメッセージは、前記ＮＡＮの発見情報を示し、前記ＮＡＮは、第２のワイヤレスプロトコルにしたがって動作する、
前記ウェイクアップメッセージの送信の後で、前記第２のワイヤレスプロトコルにしたがって、前記ＮＡＮを介して情報を通信することと、
別の電子デバイスから、別のＮＡＮに関連付けられた第２の発見情報を示すメッセージを受信することと、前記別のＮＡＮは、前記第２のワイヤレスプロトコルにしたがって動作する、
を行わせるように前記プロセッサによって実行可能である命令を記憶するメモリと
を備える、装置。
【請求項１７】
前記第１のワイヤレスプロトコルに関連付けられた第１のトランシーバをさらに備える、請求項１６に記載の装置。
【請求項１８】
前記第１のトランシーバは、前記ウェイクアップメッセージを送信するように構成される、請求項１７に記載の装置。
【請求項１９】
前記第２のワイヤレスプロトコルに関連付けられた第２のトランシーバをさらに備える、請求項１７に記載の装置。
【請求項２０】
前記第２のトランシーバは、前記ＮＡＮを介して前記情報を通信するように構成される、請求項１９に記載の装置。
【請求項２１】
前記第１のトランシーバは、サブ１ギガヘルツ（ＧＨｚ）の周波数帯域を使用して動作するように構成され、前記第２のトランシーバは、２．４ＧＨｚの周波数帯域を使用して動作するように構成される、請求項１９に記載の装置。
【請求項２２】
前記第１のトランシーバは、サブ１ギガヘルツ（ＧＨｚ）の周波数帯域を使用して動作するように構成され、前記第２のトランシーバは、５ＧＨｚの周波数帯域を使用して動作するように構成される、請求項１９に記載の装置。
【請求項２３】
前記第１のトランシーバは、２．４ギガヘルツ（ＧＨｚ）の周波数帯域を使用して動作するように構成され、前記第２のトランシーバは、５ＧＨｚの周波数帯域を使用して動作するように構成される、請求項１９に記載の装置。
【請求項２４】
通信のための装置であって、
近隣認識ネットワーク（ＮＡＮ）のカバレッジエリア内の電子デバイスから、第１のワイヤレスプロトコルにしたがってウェイクアップメッセージを送信するための手段と、前記ウェイクアップメッセージは、第２のワイヤレスプロトコルに関連付けられた発見情報を示す、
前記ウェイクアップメッセージの送信の後で、前記第２のワイヤレスプロトコルにしたがって前記ＮＡＮを介して情報を通信するための手段と、
別の電子デバイスから、別のＮＡＮに関連付けられた第２の発見情報を示すメッセージを受信するための手段と、前記別のＮＡＮは、前記第２のワイヤレスプロトコルにしたがって動作する、
を備える、装置。
【請求項２５】
前記送信するための手段は、前記第１のワイヤレスプロトコルに関連付けられた第１のトランシーバを含み、前記通信するための手段は、前記第２のワイヤレスプロトコルに関連付けられた第２のトランシーバを含む、請求項２４に記載の装置。
【請求項２６】
前記通信するための手段は、前記発見情報中の前記第２のワイヤレスプロトコルに関連付けられた発見ビーコンの送信時間を示すように構成される、請求項２４に記載の装置。
【請求項２７】
プロセッサによって実行されたとき、前記プロセッサに、
近隣認識ネットワーク（ＮＡＮ）内の電子デバイスから、第１のワイヤレスプロトコルにしたがってウェイクアップメッセージの送信を開始することと、前記ウェイクアップメッセージは、前記ＮＡＮの発見情報を示し、前記ＮＡＮは、第２のワイヤレスプロトコルにしたがって動作する、
前記ウェイクアップメッセージの送信の後で、前記第２のワイヤレスプロトコルにしたがって、前記ＮＡＮを介して情報を通信することと、
前記電子デバイスにおいて、別の電子デバイスから、別のＮＡＮに関連付けられた第２の発見情報を示すメッセージを受信することと、前記別のＮＡＮは、前記第２のワイヤレスプロトコルにしたがって動作する、
を行わせる命令を備える非一時的プロセッサ可読媒体。
【請求項２８】
前記命令は、前記プロセッサに、前記発見情報中の前記第２のワイヤレスプロトコルに関連付けられた発見ビーコンの送信時間を示させるように前記プロセッサによってさらに実行可能である、請求項２７に記載の非一時的プロセッサ可読媒体。
【請求項２９】
前記命令は、前記プロセッサに、前記発見情報中の前記第２のワイヤレスプロトコルに関連付けられた発見ウィンドウを示させるように前記プロセッサによってさらに実行可能である、請求項２７に記載の非一時的プロセッサ可読媒体。
【手続補正２】
【補正対象書類名】明細書
【補正対象項目名】０１２１
【補正方法】変更
【補正の内容】
【０１２１】
[00135] 開示された実施形態の先の説明は、当業者が、開示された実施形態を製造または使用することを可能にするために提供される。これらの実施形態への様々な修正は、当業者に容易に明らかとなるもので、本明細書で定義された原理は、本開示の範囲から逸脱することなしに他の実施形態に適用されうる。したがって、本開示は、本明細書で示された実施形態に限定されるように意図されるものではなく、次の特許請求の範囲によって定義されるような原理および新規な特徴と一致する可能な限り最も広い範囲が付与されることとなる。
以下に、本願の出願当初の特許請求の範囲に記載された発明を付記する。
［Ｃ１］
通信の方法であって、
第１のワイヤレスプロトコルを介して近隣認識ネットワーク（ＮＡＮ）中の電子デバイスから、第２のワイヤレスプロトコルに関連付けられた発見情報を示すウェイクアップメッセージを送信することと、
前記ウェイクアップメッセージを送信した後で、前記第２のワイヤレスプロトコルを使用して、前記ＮＡＮを介して情報を通信することと
を備える、方法。
［Ｃ２］
前記発見情報中の前記第２のワイヤレスプロトコルに関連付けられた発見ビーコンの送信時間を示すことをさらに備える、Ｃ１に記載の方法。
［Ｃ３］
前記ＮＡＮを介して情報を前記通信することにおいて前記発見ビーコンを送信することをさらに備える、Ｃ２に記載の方法。
［Ｃ４］
前記ウェイクアップメッセージを前記送信することは、前記発見ビーコンの送信より前の特定の時間オフセットで生じる、Ｃ２に記載の方法。
［Ｃ５］
前記発見情報は、前記第２のワイヤレスプロトコルに関連付けられた発見ウィンドウを示す、Ｃ１に記載の方法。
［Ｃ６］
前記発見ウィンドウは、およそ１６ミリ秒（ｍｓ）の持続時間を有する、Ｃ５に記載の方法。
［Ｃ７］
前記ウェイクアップメッセージを前記送信することは、前記発見ウィンドウの開始より前の特定の時間オフセットで生じる、Ｃ５に記載の方法。
［Ｃ８］
前記ＮＡＮを介して情報を前記通信することは、前記発見ウィンドウ中の通信を含む、Ｃ５に記載の方法。
［Ｃ９］
前記ＮＡＮを介して情報を前記通信することは、同期ビーコンを送信することを含む、Ｃ１に記載の方法。
［Ｃ１０］
前記第１のワイヤレスプロトコルは、米国電気電子学会（ＩＥＥＥ）８０２．１１ａｈワイヤレスプロトコルを備える、Ｃ１に記載の方法。
［Ｃ１１］
前記第１のワイヤレスプロトコルを介して前記電子デバイスで、別の電子デバイスからのメッセージを受信することをさらに備える、Ｃ１に記載の方法。
［Ｃ１２］
前記メッセージは、前記第２のワイヤレスプロトコルにしたがって動作する別のＮＡＮに関連付けられた発見情報を示す、Ｃ１１に記載の方法。
［Ｃ１３］
前記メッセージは、前記別のＮＡＮの発見ウィンドウの時間インジケーションを含む、Ｃ１２に記載の方法。
［Ｃ１４］
前記第１のワイヤレスプロトコルは、サブ１ギガヘルツ（ＧＨｚ）の周波数帯域に関連付けられ、前記第２のワイヤレスプロトコルは、２．４ＧＨｚの周波数帯域に関連付けられる、Ｃ１に記載の方法。
［Ｃ１５］
前記第１のワイヤレスプロトコルは、サブ１ギガヘルツ（ＧＨｚ）の周波数帯域に関連付けられ、前記第２のワイヤレスプロトコルは、５ＧＨｚの周波数帯域に関連付けられる、Ｃ１に記載の方法。
［Ｃ１６］
前記第１のワイヤレスプロトコルは、２．４ギガヘルツ（ＧＨｚ）の周波数帯域に関連付けられ、前記第２のワイヤレスプロトコルは、５ＧＨｚの周波数帯域に関連付けられる、Ｃ１に記載の方法。
［Ｃ１７］
通信のための装置であって、
プロセッサと、
前記プロセッサに、
近隣認識ネットワーク（ＮＡＮ）を介しておよび第１のワイヤレスプロトコルを使用して、前記ＮＡＮの発見情報を示すウェイクアップメッセージの送信を開始することと、前記ＮＡＮは、第２のワイヤレスプロトコルにしたがって動作する、
前記ウェイクアップメッセージの送信の後で、前記第２のワイヤレスプロトコルを使用して、前記ＮＡＮを介して情報を通信することと
を行わせるように前記プロセッサによって実行可能である命令を記憶するメモリと
を備える、装置。
［Ｃ１８］
前記第１のワイヤレスプロトコルに関連付けられた第１のトランシーバをさらに備える、Ｃ１７に記載の装置。
［Ｃ１９］
前記第１のトランシーバは、前記ウェイクアップメッセージを送信するように構成される、Ｃ１８に記載の装置。
［Ｃ２０］
前記第２のワイヤレスプロトコルに関連付けられた第２のトランシーバをさらに備える、Ｃ１８に記載の装置。
［Ｃ２１］
前記第２のトランシーバは、前記ＮＡＮを介して前記情報を通信するように構成される、Ｃ２０に記載の装置。
［Ｃ２２］
前記第１のトランシーバは、サブ１ギガヘルツ（ＧＨｚ）の周波数帯域を使用して動作するように構成され、前記第２のトランシーバは、２．４ＧＨｚの周波数帯域を使用して動作するように構成される、Ｃ２０に記載の装置。
［Ｃ２３］
前記第１のトランシーバは、サブ１ギガヘルツ（ＧＨｚ）の周波数帯域を使用して動作するように構成され、前記第２のトランシーバは、５ＧＨｚの周波数帯域を使用して動作するように構成される、Ｃ２０に記載の装置。
［Ｃ２４］
前記第１のトランシーバは、２．４ギガヘルツ（ＧＨｚ）の周波数帯域を使用して動作するように構成され、前記第２のトランシーバは、５ＧＨｚの周波数帯域を使用して動作するように構成される、Ｃ２０に記載の装置。
［Ｃ２５］
通信のための装置であって、
第１のワイヤレスプロトコルを介して近隣認識ネットワーク（ＮＡＮ）中の電子デバイスから、第２のワイヤレスプロトコルに関連付けられた発見情報を示すウェイクアップメッセージを送信するための手段と、
前記ウェイクアップメッセージの送信の後で、前記第２のワイヤレスプロトコルを使用して、前記ＮＡＮを介して情報を通信するための手段と
を備える、装置。
［Ｃ２６］
前記送信するための手段は、前記第１のワイヤレスプロトコルに関連付けられた第１のトランシーバを含み、前記通信するための手段は、前記第２のワイヤレスプロトコルに関連付けられた第２のトランシーバを含む、Ｃ２５に記載の装置。
［Ｃ２７］
前記通信するための手段は、前記発見情報中の前記第２のワイヤレスプロトコルに関連付けられた発見ビーコンの送信時間を示すように構成される、Ｃ２５に記載の装置。
［Ｃ２８］
プロセッサによって実行されたとき、前記プロセッサに、
第１のワイヤレスプロトコルを介して近隣認識ネットワーク（ＮＡＮ）中の電子デバイスから、前記ＮＡＮの発見情報を示すウェイクアップメッセージの送信を開始することと、前記ＮＡＮは、第２のワイヤレスプロトコルにしたがって動作する、
前記ウェイクアップメッセージの送信の後で、前記第２のワイヤレスプロトコルを使用して、前記ＮＡＮを介して情報を通信することと
を行わせる命令を備える非一時的プロセッサ可読媒体。
［Ｃ２９］
前記命令は、前記プロセッサに、前記発見情報中の前記第２のワイヤレスプロトコルに関連付けられた発見ビーコンの送信時間を示させるように前記プロセッサによってさらに実行可能である、Ｃ２８に記載の非一時的プロセッサ可読媒体。
［Ｃ３０］
前記命令は、前記プロセッサに、前記発見情報中の前記第２のワイヤレスプロトコルに関連付けられた発見ウィンドウを示させるように前記プロセッサによってさらに実行可能である、Ｃ２８に記載の非一時的プロセッサ可読媒体。